(57)【要約】  【課題】冷蔵室のドア開閉が増加する夏場においても、製氷室の冷却能力を確保する冷蔵庫を提供することを目的とする。  【解決手段】第１の冷却器１７で冷蔵室のみを冷却し、第２の冷却器２０で製氷室、冷凍室及び切替室を冷却し、野菜室は製氷室の戻り冷気で冷却することにより、夏場に冷蔵室のドア開閉が増え、冷蔵室に暖湿気が流入しても、製氷室を冷却する第２の冷却器２０に霜がつかず製氷室の製氷スピードを十分に確保することができる冷蔵庫を提供することができる。【選択図】図２
2006002998.tif 000002
【特許請求の範囲】
【請求項１】
冷蔵庫本体と、前記冷蔵庫本体の上部に冷蔵食品等を貯蔵する冷蔵室と、前記冷蔵室の下部に設けられた冷凍から冷蔵までの温度範囲で切替え可能な切替室と、前記冷蔵室の下部で前記切替室に並列配置された製氷及び氷の貯蔵を行う製氷室と、前記冷蔵庫本体下部に設けられた冷凍室と、前記製氷室及び前記切替室と前記冷凍室との間に設けられた野菜類を貯蔵する野菜室と、前記冷蔵室奥面に設置した第１の冷却器と、前記野菜室及び前記製氷室及び前記切替室の奥に設置した第２の冷却器と、前記製氷室を冷却した冷気を前記野菜室に吐出する吐出風路とを備え、前記第１の冷却器で前記冷蔵室のみを冷却し、前記第２の冷却器で前記製氷室と前記切替室と前記冷凍室とを冷却し、前記吐出風路からの冷気で前記野菜室を冷却するようにしたことを特徴とする冷蔵庫。
【請求項２】
冷蔵庫本体と、前記冷蔵庫本体の上部に冷蔵食品等を貯蔵する冷蔵室と、前記冷蔵室の下部に設けられた冷凍から冷蔵までの温度範囲で切替え可能な切替室と、前記冷蔵室の下部で前記切替室に並列配置された製氷及び氷の貯蔵を行う製氷室と、前記冷蔵庫本体下部に設けられた冷凍室と、前記製氷室及び前記切替室と前記冷凍室との間に設けられた野菜類を貯蔵する野菜室と、前記切替室及び前記製氷室と前記野菜室とを仕切る仕切り壁と、前記冷蔵室奥面に設置した第１の冷却器と、前記野菜室及び前記製氷室及び前記切替室の奥に設置した第２の冷却器と、前記野菜室の天面に配置された冷却板と、前記製氷室から前記仕切り壁と前記冷却板の間を経由して前記第２の冷却器へと連通する戻り風路とを備え、前記第１の冷却器で前記冷蔵室のみを冷却し、前記第２の冷却器で前記製氷室と前記切替室と前記冷凍室とを冷却し、前記冷却板で前記野菜室を冷却するようにしたことを特徴とする冷蔵庫。
【請求項３】
冷蔵庫本体と、前記冷蔵庫本体の上部に冷蔵食品等を貯蔵する冷蔵室と、前記冷蔵室の下部に設けられた冷凍から冷蔵までの温度範囲で切替え可能な切替室と、前記冷蔵室の下部で前記切替室に並列配置された製氷及び氷の貯蔵を行う製氷室と、前記冷蔵庫本体下部に設けられた冷凍室と、前記製氷室及び前記切替室と前記冷凍室との間に設けられた野菜類を貯蔵する野菜室と、前記冷蔵室奥面に設置した第１の冷却器と、前記野菜室及び前記製氷室及び前記切替室の奥に設置した第２の冷却器と、前記野菜室の天面に配置された前記製氷室から前記第２の冷却器へと連通する樹脂戻り風路とを備え、前記第１の冷却器で前記冷蔵室のみを冷却し、前記第２の冷却器で前記製氷室と前記切替室と前記冷凍室とを冷却し、前記樹脂戻り風路で前記野菜室を冷却するようにしたことを特徴とする冷蔵庫。
【請求項４】
前記野菜室内に設置した野菜ケースと、前記野菜ケースの上部に蓋とを備えたことを特徴とする請求項１に記載の冷蔵庫。
【請求項５】
前記第２の冷却器からの冷気と、前記製氷室からの戻り冷気を、前記戻り風路内で混合したことを特徴とする請求項２または３に記載の冷蔵庫。
【発明の詳細な説明】
【技術分野】
【０００１】
本発明は、複数の貯蔵室を有し複数の冷却器で各室を冷却する冷蔵庫に関するものである。
【背景技術】
【０００２】
近年、使い勝手の向上を図るため、様々なレイアウトの冷蔵庫が検討されている（例えば、特許文献１参照）。
【０００３】
図８は、特許文献１に記載された従来の冷蔵庫を示すものである。図８に示すように冷蔵庫本体１と、冷蔵庫本体１の上部に設けられた冷蔵室２と、冷蔵室２の下部に設けられた切替室３と、冷蔵室２の下部で切替室３に並列に設けられた製氷室４と、冷蔵庫本体１の下部に設けられた冷凍室５と、切替室３及び製氷室４と冷凍室５との間に設けられた野菜室６と、冷気を生成する冷却器７と、冷気を各室に供給するファン装置８とを有し、冷凍室５に冷気を供給するための冷凍室用送風路９と、製氷室４に冷気を供給するための製氷用送風路１０と、製氷室４から冷気を冷却器７に戻す製氷室用帰還風路１１と、製氷室用送風路１０を通る冷気の一部を分流させて切替室３に送る切替室用送風路１２と、切替室３からの冷気を冷却器７に戻すための切替室用帰還風路１３と、切替室用送風路１２を通る冷気の一部を分流させて冷蔵室２に送る冷蔵室用送風路１４と、冷蔵室２に送られた冷気を野菜室６に戻すための冷蔵室用帰還風路１５と、野菜室６に送られた冷気を冷却器７に戻すための野菜室用帰還風路１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却を負担せねばならず、特に設定温度の高い冷蔵室と野菜室に囲まれた製氷室は冷却能力の確保が困難であり、更に夏場において冷蔵室の扉開閉回数が増えた場合、大量の霜が冷却器に付着することにより冷却器の能力が大幅にダウンし、製氷スピードが落ちるという課題を有していた。
【０００５】
また、野菜室は、冷蔵室の戻り冷気で冷却を行うため、高外気温度時には野菜室の温度は上昇し野菜室内に貯蔵する野菜等の食品の保鮮性が劣化してしまうという課題を有していた。
【０００６】
本発明は、上記従来の課題を解決するもので、冷蔵室のドア開閉回数が増加する夏場においても、製氷室の能力を確保し、さらに野菜室内に貯蔵する野菜等の食品の保鮮性を向上する冷蔵庫を提供することを目的とする。
【課題を解決するための手段】
【０００７】
上記従来の課題を解決するために、本発明の冷蔵庫は、冷蔵庫本体の上部に冷蔵食品等を貯蔵する冷蔵室と、冷蔵室の下部に設けられた冷凍から冷蔵までの温度範囲で切替え可能な切替室と、冷蔵室の下部で切替室に並列配置された製氷及び氷の貯蔵を行う製氷室と、冷蔵庫本体下部に設けられた冷凍室と、製氷室及び切替室と冷凍室との間に設けられた野菜類を貯蔵する野菜室と、冷蔵室奥面に設置した第１の冷却器と、野菜室及び製氷室及び切替室の奥に設置した第２の冷却器と、製氷室を冷却した冷気を野菜室に吐出する吐出風路とを備えたものである。
【０００８】
これによって、第１の冷却器で冷蔵室のみを冷却し、第２の冷却器で製氷室と切替室と冷凍室とを冷却し、製氷室の戻り冷気で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができる。さらに、野菜室を製氷室の戻り冷気で冷却するので、切替室及び製氷室及び冷凍室の冷却量に影響はなく野菜室を冷却できる。
【０００９】
また本発明の冷蔵庫は、冷蔵庫本体の上部に冷蔵食品等を貯蔵する冷蔵室と、冷蔵室の下部に設けられた冷凍から冷蔵までの温度範囲で切替え可能な切替室と、冷蔵室の下部で切替室に並列配置された製氷及び氷の貯蔵を行う製氷室と、冷蔵庫本体下部に設けられた冷凍室と、製氷室及び切替室と冷凍室との間に設けられた野菜類を貯蔵する野菜室と、切替室及び製氷室と野菜室とを仕切る仕切り壁と、冷蔵室奥面に設置した第１の冷却器と、野菜室及び製氷室及び切替室の奥に設置した第２の冷却器と、野菜室の天面に配置された冷却板と、製氷室から仕切り壁と冷却板の間を経由して第２の冷却器へと連通する戻り風路とを備えたものである。
【００１０】
これによって、第１の冷却器で冷蔵室のみを冷却し、第２の冷却器で製氷室と切替室と冷凍室とを冷却し、冷却板で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができる。さらに野菜室は直接冷気を循環させることなく冷却板で輻射冷却するので、野菜室内を高湿度に保つことができ、野菜室内に貯蔵する野菜等の食品の保鮮性を向上させることができる。
【００１１】
また本発明の冷蔵庫は、冷蔵庫本体の上部に冷蔵食品等を貯蔵する冷蔵室と、前記冷蔵室の下部に設けられた冷凍から冷蔵までの温度範囲で切替え可能な切替室と、前記冷蔵室の下部で前記切替室に並列配置された製氷及び氷の貯蔵を行う製氷室と、前記冷蔵庫本体下部に設けられた冷凍室と、前記製氷室及び前記切替室と前記冷凍室との間に設けられた野菜類を貯蔵する野菜室と、前記冷蔵室奥面に設置した第１の冷却器と、前記野菜室及び前記製氷室及び前記切替室の奥に設置した第２の冷却器と、前記野菜室の天面に配置された前記製氷室から前記第２の冷却器へと連通する樹脂戻り風路とを備えたものである。
【００１２】
これによって、野菜室天面の樹脂風路内を通過する冷気の冷熱を樹脂ダクトを介して効率良く野菜室内に伝えることができ、安価な構成で野菜室内に貯蔵する野菜等の食品の保鮮性を向上させることができる。
【発明の効果】
【００１３】
本発明の冷蔵庫は、第１の冷却器で冷蔵室のみを冷却し、第２の冷却器で製氷室と切替室と冷凍室とを冷却し、製氷室の戻り冷気で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができる。さらに、野菜室を製氷室の戻り冷気で冷却するので、切替室及び製氷室及び冷凍室の冷却量に影響はなく野菜室を冷却できる。
【００１４】
また本発明の冷蔵庫は、第１の冷却器で冷蔵室のみを冷却し、第２の冷却器で製氷室と切替室と冷凍室とを冷却し、冷却板で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができる。さらに野菜室は直接冷気を循環させることなく冷却板で輻射冷却するので、野菜室内を高湿度に保つことができ、野菜室内に貯蔵する野菜等の食品の保鮮性を向上させることができる。
【発明を実施するための最良の形態】
【００１５】
請求項１に記載の発明は、冷蔵庫本体と、前記冷蔵庫本体の上部に冷蔵食品等を貯蔵する冷蔵室と、前記冷蔵室の下部に設けられた冷凍から冷蔵までの温度範囲で切替え可能な切替室と、前記冷蔵室の下部で前記切替室に並列配置された製氷及び氷の貯蔵を行う製氷室と、前記冷蔵庫本体下部に設けられた冷凍室と、前記製氷室及び前記切替室と前記冷凍室との間に設けられた野菜類を貯蔵する野菜室と、前記冷蔵室奥面に設置した第１の冷却器と、前記野菜室及び前記製氷室及び前記切替室の奥に設置した第２の冷却器と、前記製氷室を冷却した冷気を前記野菜室に吐出する吐出風路とを備え、前記第１の冷却器で前記冷蔵室のみを冷却し、前記第２の冷却器で前記製氷室と前記切替室と前記冷凍室とを冷却し、前記吐出風路からの冷気で前記野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができる。さらに、野菜室を製氷室の戻り冷気で冷却するので、切替室及び製氷室及び冷凍室の冷却量に影響はなく野菜室を冷却できる。
【００１６】
請求項２に記載の発明は、冷蔵庫本体と、前記冷蔵庫本体の上部に冷蔵食品等を貯蔵する冷蔵室と、前記冷蔵室の下部に設けられた冷凍から冷蔵までの温度範囲で切替え可能な切替室と、前記冷蔵室の下部で前記切替室に並列配置された製氷及び氷の貯蔵を行う製氷室と、前記冷蔵庫本体下部に設けられた冷凍室と、前記製氷室及び前記切替室と前記冷凍室との間に設けられた野菜類を貯蔵する野菜室と、前記切替室及び前記製氷室と前記野菜室とを仕切る仕切り壁と、前記冷蔵室奥面に設置した第１の冷却器と、前記野菜室及び前記製氷室及び前記切替室の奥に設置した第２の冷却器と、前記野菜室の天面に配置された冷却板と、前記製氷室から前記仕切り壁と前記冷却板の間を経由して前記第２の冷却器へと連通する戻り風路とを備え、前記第１の冷却器で前記冷蔵室のみを冷却し、前記第２の冷却器で前記製氷室と前記切替室と前記冷凍室とを冷却し、前記冷却板で前記野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することができる。さらに野菜室は直接冷気を循環させることなく冷却板で輻射冷却するので、野菜室内を高湿度に保つことができ、野菜室内に貯蔵する野菜等の食品の保鮮性を向上させることができる。
【００１７】
請求項３に記載の発明は、冷蔵庫本体と、前記冷蔵庫本体の上部に冷蔵食品等を貯蔵する冷蔵室と、前記冷蔵室の下部に設けられた冷凍から冷蔵までの温度範囲で切替え可能な切替室と、前記冷蔵室の下部で前記切替室に並列配置された製氷及び氷の貯蔵を行う製氷室と、前記冷蔵庫本体下部に設けられた冷凍室と、前記製氷室及び前記切替室と前記冷凍室との間に設けられた野菜類を貯蔵する野菜室と、前記冷蔵室奥面に設置した第１の冷却器と、前記野菜室及び前記製氷室及び前記切替室の奥に設置した第２の冷却器と、前記野菜室の天面に配置された前記製氷室から前記第２の冷却器へと連通する樹脂戻り風路とを備え、前記第１の冷却器で前記冷蔵室のみを冷却し、前記第２の冷却器で前記製氷室と前記切替室と前記冷凍室とを冷却し、前記樹脂戻り風路で前記野菜室を冷却するものであり、野菜室天面の樹脂風路内を通過する冷気の冷熱を樹脂ダクトを介して効率良く野菜室内に伝えることができ、安価な構成で野菜室内に貯蔵する野菜等の食品の保鮮性を向上させることができる。
【００１８】
請求項４に記載の発明は、請求項１に記載の発明において、前記野菜室内に設置した野菜ケースと、前記野菜ケースの上部に蓋とを備えたものであり、野菜ケース外周を冷却することで、間接的に野菜ケース内を冷却するため、野菜ケース内を高湿度に保ちかつ温度ムラなく冷却ができ、野菜室内に貯蔵する野菜等の食品の保鮮性を向上させることができる。
【００１９】
請求項５に記載の発明は、請求項２または３に記載の発明において、前記第２の冷却器からの冷気と、前記製氷室からの戻り冷気を、前記戻り風路内で混合したものであり、冷却板を低温に冷却することができ、夏場において野菜室のドア開閉回数が増えて野菜室に暖湿気が流入しても、野菜室を低温に保つことができ、野菜室内に貯蔵する野菜等の食品の保鮮性を向上させることができる。
【００２０】
以下、本発明の実施の形態について、図面を参照しながら説明する。なお、この実施の形態によってこの発明が限定されるものではない。
【００２１】
（実施の形態１）
図１は本発明の実施の形態１による冷蔵庫の正面図である。図２は本発明の実施の形態１による冷蔵庫の風路図である。図３は本発明の実施の形態１における断面図である。
【００２２】
図１において１は冷蔵庫本体であり、最上部に冷蔵室２と、冷蔵室２との下方に切替室３と、並列配置された製氷及び氷の貯蔵を行う製氷室４と、本体下部に設けられた冷凍室５と、並列配置した製氷室４及び切替室３と冷凍室５の間に設けられた、野菜類を貯蔵する野菜室６を有する。
【００２３】
図２、３において、第１の冷却器１７は冷蔵室背面に設置される。冷蔵室冷却用ダクト１８は第１の冷却器１７と冷蔵室２を仕切り、第１の冷却器１７によって冷却された冷気を冷蔵室２に導くための冷蔵室用吐出風路１８ａ及び冷蔵室２を冷却した冷気を第一の冷却器１７に戻すための冷蔵室用戻り風路１８ｂを有する。冷蔵室用冷却ファン１９は第１の冷却器１７で発生した冷気を循環させる。第２の冷却器２０は、野菜室６及び製氷室４及び切替室３の奥に設置され、製氷室４及び切替室３及び冷凍室５及び野菜室６を冷却する。仕切り壁２１は野菜室６と冷凍室５を仕切り、冷蔵庫本体１の発泡充填前に設置されている。冷凍室用ダクト２２は、第２の冷却器２０で冷却された冷気を製氷室４及び切替室３及び冷凍室５へ導き、切替室吐出風路２２ａ及び製氷室吐出風路２２ｂ及び冷凍室吐出風路２２ｃから各室に吐出させ、第２の冷却器２０に冷気を戻す切替室戻り風路２２ｄ及び冷凍室戻り風路２２ｅを内蔵し、第２の冷却器２０の前に設置される。冷凍室用冷却ファン２３は第２の冷却器２０で発生した冷気を循環させる。
【００２４】
切替室用ダンパー２４は切替室吐出風路２２ａに内蔵されており、切替室３の温度を冷凍から冷蔵まで制御する。野菜室用吐出風路２５は、製氷室４を冷却した高湿度の戻り冷気を野菜室６に吐出し、野菜室６を冷却する。
【００２５】
以上のように構成された冷蔵庫について、以下その動作、作用について説明する。第１の冷却器１７によって発生した冷気は冷蔵室用ダクト１８の冷蔵室用吐出風路１８ａに導かれ冷蔵室２に供給される。冷蔵室２を冷却した冷気は冷蔵室用ダクト１８の冷蔵室用戻り風路１８ｂに導かれ第１の冷却器１７に帰還する。
【００２６】
また第２の冷却器２０によって発生した冷気は冷凍室用ダクト２２の各吐出風路に導かれ製氷室４及び切替室３及び冷凍室５に供給され冷却し、各戻り風路に導かれ第２の冷却器２０に帰還する。
【００２７】
野菜室６は、野菜室吐出風路２５からの製氷室４の高湿度の戻り冷気により冷却する。
【００２８】
以上のように本実施の形態においては、最上部に冷蔵室２と、冷蔵室２との下方に切替室３と、並列配置された製氷及び氷の貯蔵を行う製氷室４と、本体下部に設けられた冷凍室５と、並列配置した製氷室４及び切替室３と冷凍室５の間に設けられた、野菜類を貯蔵する野菜室６を有するものにおいて、第１の冷却器１７で冷蔵室２のみを冷却し、第２の冷却器２０で冷蔵室以外の製氷室４、切替室３、冷凍室５及び野菜室６を冷却し、野菜室６を製氷室４の戻り冷気で冷却するようにしたことにより、夏場冷蔵室２のドア開閉が増え冷蔵室２に暖湿気が流入しても製氷室４を冷却する第２の冷却器２０は影響を受けず製氷室４の能力を確保することができる。さらに、野菜室６は高湿度の製氷室４の戻り冷気により冷却するので、野菜室６内に貯蔵する野菜等の食品の保鮮性への悪影響はない。さらに、野菜室６を製氷室４の戻り冷気で冷却するので、切替室３、製氷室４、冷凍室５の冷却量に影響はなく野菜室６を冷却できる。
【００２９】
（実施の形態２）
図４は本発明の実施の形態２による冷蔵庫の断面図である。
【００３０】
図４において、野菜室６の天面には冷却板２８を配置し、仕切り壁２６は切替室３及び製氷室４と野菜室６とを仕切り、仕切り壁２６と冷却板２８の間を経由して第２の冷却器２０へと連通する戻り風路２７を構成する。冷却板２８は、製氷室４の戻り冷気で冷却され、野菜室６の上部から野菜室６を輻射冷却する。
【００３１】
以上のように本実施の形態においては第１の冷却器で冷蔵室のみを冷却し、第２の冷却器で冷蔵室以外の製氷室、切替室、冷凍室及び野菜室を冷却し、野菜室６は製氷室４の戻り冷気で冷却される冷却板２８で天面から間接的に冷却するようにしたことにより、夏場冷蔵室のドア開閉が増え冷蔵室に暖湿気が流入しても製氷室を冷却する第２の冷却器は影響を受けず製氷室の能力を確保することができる。さらに、冷却板で野菜室の冷却を行い、野菜室に直接冷気を循環させないことで、野菜室の湿度の低下を防止し、野菜室内に貯蔵する野菜等の食品の保鮮性を向上させることができる。
【００３２】
（実施の形態３）
図５は本発明の実施の形態３による冷蔵庫の断面図である。
【００３３】
図５において、樹脂戻り風路２９は、野菜室６の上部に配設し、製氷室の戻り冷気により冷却され野菜室６を冷却する。
【００３４】
以上のように本実施の形態においては第１の冷却器で冷蔵室のみを冷却し、第２の冷却器で冷蔵室以外の製氷室、切替室、冷凍室及び野菜室を冷却するようにしたことにより、夏場冷蔵室のドア開閉が増え冷蔵室に暖湿気が流入しても製氷室を冷却する第２の冷却器は影響を受けず製氷室の能力を確保することができる。さらに、野菜室天面の樹脂戻り風路内を通過する冷気の冷熱を樹脂ダクトを介して効率良く野菜室内に伝えることができ、安価な構成で野菜室内に貯蔵する野菜等の食品の保鮮性を向上させることができる。
【００３５】
（実施の形態４）
図６は本発明の実施の形態４による冷蔵庫の断面図である。
【００３６】
図６において野菜ケース３０は、野菜室６内に設置され、上部には蓋３１があり、野菜室用吐出風路２５からの製氷室４からの戻り冷気で野菜ケース３０の外周を冷却する。
【００３７】
以上のように本実施の形態においては第１の冷却器で冷蔵室のみを冷却し、第２の冷却器で冷蔵室以外の製氷室、切替室、冷凍室及び野菜室を冷却するようにしたことにより、夏場冷蔵室のドア開閉が増え冷蔵室に暖湿気が流入しても製氷室を冷却する第２の冷却器は影響を受けず製氷室の能力を確保することができる。さらに、野菜室上部に蓋を取り付けることで、野菜室の冷却を間接的に行い、野菜室に直接冷気を循環させないことで、野菜室の湿度の低下を防止し、さらに温度ムラなく冷却できるので野菜室内に貯蔵する野菜等の食品の保鮮性を向上させることができる。
【００３８】
（実施の形態５）
図７は本発明の実施の形態５による冷蔵庫の断面図である。
【００３９】
図７において混合用風路３２は、戻り風路２７に連結し第２の冷却器２０からの低温冷気を戻り風路２７内で、製氷室４の戻り冷気と混合させ冷却板２８を低温に冷却する。
【００４０】
以上のように本実施の形態においては第２の冷却器からの冷気と、製氷室からの戻り冷気を、戻り風路内で混合したものであり、冷却板を低温に冷却することができ、夏場において野菜室のドア開閉回数が増えて野菜室に暖湿気が流入しても、野菜室を低温に保つことができ、野菜室内に貯蔵する野菜等の食品の保鮮性を向上させることができる。
【産業上の利用可能性】
【００４１】
以上のように、本発明にかかる冷蔵庫は、第１の冷却器で冷蔵室のみを冷却し、第２の冷却器で製氷室、切替室、冷凍室を冷却し、製氷室の戻り冷気で野菜室を冷却するようにしたことにより、夏場において冷蔵室のドア開閉回数が増えて冷蔵室に暖湿気が流入しても、製氷室を冷却する第２の冷却器には霜が付かずに製氷スピードを確保することが可能となるので、冷凍機器全般の冷却方法の用途にも適用できる。
【図面の簡単な説明】
【００４２】
【図１】本発明による冷蔵庫の実施の形態１における冷蔵庫の正面図
【図２】本発明による冷蔵庫の実施の形態１における冷蔵庫の風路図
【図３】本発明による冷蔵庫の実施の形態１における冷蔵庫の断面図
【図４】本発明による冷蔵庫の実施の形態２における冷蔵庫の断面図
【図５】本発明による冷蔵庫の実施の形態３における冷蔵庫の断面図
【図６】本発明による冷蔵庫の実施の形態４における冷蔵庫の断面図
【図７】本発明による冷蔵庫の実施の形態５における冷蔵庫の断面図
【図８】従来の冷蔵庫の風路図
【符号の説明】
【００４３】
１    冷蔵庫本体
２    冷蔵室
３    切替室
４    製氷室
５    冷凍室
６    野菜室
１７  第１の冷却器
２０  第２の冷却器
２５  野菜室用吐出風路
２６  仕切り壁
２７  戻り風路
２８  冷却板
２９  樹脂戻り風路
３０  野菜ケース
３１  蓋
３２  混合用風路
【図１】
2006002998.tif 000003
【図２】
2006002998.tif 000004
【図３】
2006002998.tif 000005
【図４】
2006002998.tif 000006
【図５】
2006002998.tif 000007
【図６】
2006002998.tif 000008
【図７】
2006002998.tif 000009
【図８】
2006002998.tif 000010